(57)【要約】【課題】セルフタイマー撮影の利便性向上の点で有利な撮像装置を提供する。【解決手段】撮像装置は、外部機器と通信する通信手段と、撮影を制御する制御手段とを有し、前記制御手段は、（ａ）受け付けた撮影指示が、前記通信手段を介した前記外部機器からの遠隔操作による撮影開始要求であり、（ｂ）撮影指示に応じてタイマー時間の計時を開始し該計時の終了に応じて撮影を開始するセルフタイマー撮影の機能が有効にされており、かつ、（ｃ）前記タイマー時間が所定時間より長い第１時間に設定されている場合、前記タイマー時間を前記所定時間より短い第２時間に変更する。【選択図】  図３
2020187239.tif 000002
【特許請求の範囲】
【請求項１】
外部機器と通信する通信手段と、
撮影を制御する制御手段と、を有し、
前記制御手段は、（ａ）受け付けた撮影指示が、前記通信手段を介した前記外部機器からの遠隔操作による撮影開始要求であり、（ｂ）撮影指示に応じてタイマー時間の計時を開始し該計時の終了に応じて撮影を開始するセルフタイマー撮影の機能が有効にされており、かつ、（ｃ）前記タイマー時間が所定時間より長い第１時間に設定されている場合、前記タイマー時間を前記所定時間より短い第２時間に変更する、ことを特徴とする撮像装置。
【請求項２】
前記第２時間は、前記撮像装置の撮影モードに応じた時間であることを特徴とする請求項１に記載の撮像装置。
【請求項３】
前記撮影開始要求は、前記外部機器の機種の情報を含み、
前記制御手段は、前記情報が前記外部機器がフレーミングの確認が可能な機種であることを示す場合に前記タイマー時間の前記第２時間への変更を有効にし、そうでなければ前記タイマー時間の前記第２時間への変更を無効にする、ことを特徴とする請求項１または２に記載の撮像装置。
【請求項４】
前記制御手段は、前記撮影開始要求にタイマー時間の指定時間が含まれる場合には、前記タイマー時間の前記第２時間への変更を無効にし、前記タイマー時間を前記指定時間に変更する、ことを特徴とする請求項１または２に記載の撮像装置。
【請求項５】
前記制御手段は、前記撮影開始要求にタイマー時間の指定時間が含まれる場合には、前記指定時間の変更を促すための通知を前記通信手段を介して前記外部機器に送信する、ことを特徴とする請求項１または２に記載の撮像装置。
【請求項６】
被写体が人物であるか否かを判定する判定手段を更に有し、
前記制御手段は、前記判定手段により被写体が人物であると判定された場合に前記タイマー時間の前記第２時間への変更を有効にし、そうでなければ前記タイマー時間の前記第２時間への変更を無効にする、ことを特徴とする請求項１または２に記載の撮像装置。
【請求項７】
前記制御手段は、前記撮像装置がポートレートモードまたは撮影者自身が被写体となる自分撮りモードに設定されている場合に前記タイマー時間の前記第２時間への変更を有効にし、そうでなければ前記タイマー時間の前記第２時間への変更を無効にする、ことを特徴とする請求項１または２に記載の撮像装置。
【請求項８】
ユーザの操作に応じて前記第２時間を設定する設定手段を更に有することを特徴とする請求項１乃至７のいずれか１項に記載の撮像装置。
【請求項９】
外部機器と通信する通信手段を有する撮像装置の制御方法であって、
（ａ）受け付けた撮影指示が、前記通信手段を介して前記外部機器からの遠隔操作による撮影開始要求であり、（ｂ）撮影指示に応じてタイマー時間の計時を開始し該計時の終了に応じて撮影を開始するセルフタイマー撮影の機能が有効にされており、かつ、（ｃ）前記タイマー時間が所定時間より長い第１時間に設定されている場合、前記タイマー時間を前記所定時間より短い第２時間に変更する制御工程を有する、ことを特徴とする制御方法。
【請求項１０】
コンピュータを、請求項１乃至８のいずれか１項に記載の撮像装置の各手段として機能させるプログラム。
【請求項１１】
コンピュータを、請求項１乃至８のいずれか１項に記載の撮像装置の各手段として機能させるプログラムを格納したコンピュータが読み取り可能な記憶媒体。
【発明の詳細な説明】
【技術分野】
【０００１】
本発明は、撮像装置、撮像装置の制御方法、プログラム、および記憶媒体に関する。
【背景技術】
【０００２】
セルフタイマー時間を設定して、ユーザから撮影指示を受けた後、設定されたセルフタイマー時間経過後に撮影を行うセルフタイマー撮影が知られている。また、条件に応じて設定されたセルフタイマー時間を変更することで、ユーザの利便性を高める技術も知られている。例えば、特許文献１には、被写体ブレの検出を行い、被写体ブレが大きいと判断した場合には、セルフタイマー時間を長くする技術が開示されている。
【先行技術文献】
【特許文献】
【０００３】
【特許文献１】特開２００５−１７２８９８号公報
【発明の概要】
【発明が解決しようとする課題】
【０００４】
特許文献１は、セルフタイマー時間を自動的に長くする技術を開示している。しかし、逆にセルフタイマー時間を自動的に短くする技術はないため、例えば、撮影の条件が整っているにもかかわらずセルフタイマー時間が来るのを待たされるケースもしばしば起こりうる。セルフタイマー時間の設定はあらかじめ手動で行うことはできるが、撮影指示後にセルフタイマー設定時間を自動的に短縮する技術はなく、この点に関しての利便性に問題があった。
【０００５】
本発明は、例えば、セルフタイマー撮影の利便性向上の点で有利な撮像装置を提供することを目的とする。
【課題を解決するための手段】
【０００６】
本発明の一側面によれば、外部機器と通信する通信手段と、撮影を制御する制御手段と、を有し、前記制御手段は、（ａ）受け付けた撮影指示が、前記通信手段を介した前記外部機器からの遠隔操作による撮影開始要求であり、（ｂ）撮影指示に応じてタイマー時間の計時を開始し該計時の終了に応じて撮影を開始するセルフタイマー撮影の機能が有効にされており、かつ、（ｃ）前記タイマー時間が所定時間より長い第１時間に設定されている場合、前記タイマー時間を前記所定時間より短い第２時間に変更する、ことを特徴とする撮像装置が提供される。
【発明の効果】
【０００７】
本発明によれば、例えば、セルフタイマー撮影の利便性向上の点で有利な撮像装置を提供することができる。
【図面の簡単な説明】
【０００８】
【図１】実施形態におけるカメラの構成を示すブロック図。
【図２】第１実施形態におけるカメラの制御方法のフローチャート。
【図３】第２実施形態におけるカメラの制御方法のフローチャート。
【図４】第３実施形態におけるカメラの制御方法のフローチャート。
【図５】第４実施形態におけるカメラの制御方法のフローチャート。
【図６】第４実施形態におけるガイダンスの表示例を示す図。
【図７】第５実施形態におけるカメラの制御方法のフローチャート。
【発明を実施するための形態】
【０００９】
以下、添付図面を参照して実施形態を詳しく説明する。尚、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１０】
＜第１実施形態＞
図１は、実施形態における撮像装置としてのカメラ１００（デジタルカメラ）の構成例を示すブロック図である。図１において、撮影レンズ１０３は、ズームレンズ、フォーカスレンズを含むレンズ群である。シャッター１０１は、絞り機能を備えるシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、カメラ１００の、撮影レンズ１０３を含む撮像系を覆うことにより、撮影レンズ１０３、シャッター１０１、撮像部２２を含む撮像系の汚れや破損を防止する。
【００１１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御が行われる。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行われうる。
【００１２】
Ａ／Ｄ変換器２３からの出力データは、画像処理部２４及びメモリ制御部１５を介して、或いは、メモリ制御部１５を介して、メモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は、画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データは、Ｄ／Ａ変換器１３を介して表示部２８により表示される。
【００１３】
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号は、Ｄ／Ａ変換器１３においてアナログ信号に変換されて表示部２８に逐次転送される。表示部２８はこれを表示することで、電子ビューファインダとして機能し、スルー画像表示（ライブビュー表示）を行うことができる。
【００１４】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。プログラムには、後述する各種フローチャートを実行するためのコンピュータプログラムが含まれる。後述するセルフタイマー撮影の設定値も、この不揮発性メモリ５６に記憶される。
【００１５】
システム制御部５０は、カメラ１００全体を制御する。前述した不揮発性メモリ５６に記録されたプログラムを実行するプロセッサを含み、これによって後述する本実施形態の各処理が実現される。システムメモリ５２には、ＲＡＭが用いられる。システムメモリ５２には、システム制御部５０の動作用の定数、変数、不揮発性メモリ５６から読み出したプログラム等が展開される。また、システム制御部５０は、メモリ３２、Ｄ／Ａ変換器１３、表示部２８等を制御することにより表示制御も行う。
【００１６】
システムタイマー５３は、各種制御に用いる時間や、内蔵された時計の時間を計測する計時部である。後述するセルフタイマー撮影における計時は、このシステムタイマー５３を用いて行われる。
【００１７】
モード切替スイッチ６０、シャッターボタン６１、操作部７０は、システム制御部５０に各種の動作指示を入力するための操作手段である。モード切替スイッチ６０は、システム制御部５０の撮影モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えることができる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００１８】
第１シャッタースイッチ６２は、カメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００１９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。とりわけ本実施形態では、メニュー画面内にセルフタイマー撮影に関するセルフタイマー設定項目が設けられている。セルフタイマー撮影とは、撮影指示に応じてタイマー時間の計時を開始し該計時の終了に応じて撮影を開始する機能をいう。メニュー画面内のセルフタイマー設定項目からは、セルフタイマー撮影の機能の有効／無効を設定することができる。また、セルフタイマー撮影の機能を有効にする場合には、セルフタイマー値（タイマー時間）の設定が可能である。前述したように、セルフタイマー撮影の機能の有効／無効の情報および設定されたタイマー時間は、不揮発性メモリ５６に記憶される。なお、セルフタイマー撮影の機能の有効／無効の情報は別途設けずに、セルフタイマー値を０に設定した場合に、それがセルフタイマー撮影の機能無効を表すというルールにしてもよい。
【００２１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２２】
電源部３０は、アルカリ電池やリチウム電池等の一次電池や、ＮｉＣｄ電池やＮｉＭＨ電池、Ｌｉ電池等の二次電池、ＡＣアダプター等を含む。記録媒体Ｉ/Ｆ１８は、メモリカードやハードディスク等の記録媒体２００とのインタフェースである。記録媒体２００は、撮影された画像を記録するためのメモリカード等の記録媒体であり、半導体メモリや光ディスク、磁気ディスク等から構成される。
【００２３】
通信部５４は、無線接続または有線接続によって、映像信号や音声信号等の送受信を行う。通信部５４は、無線ＬＡＮ（Local Area Network）やインターネットとも接続可能である。通信部５４は、撮像部２２で撮像された画像（スルー画像を含む）や、記録媒体２００に記録された画像を送信可能であり、また、画像データやその他の各種情報を受信することもできる。特に本実施形態では、通信部５４は外部機器と例えば無線接続を確立し、外部デバイス（外部機器）からの遠隔操作を可能にする。外部デバイスは、専用のリモコン装置に限らず、カメラ１００と通信可能な任意の電子機器であってよい。そのような電子機器には、デジタルカメラ、スマートフォン、パーソナルコンピュータ、タブレットコンピュータ、メディアプレーヤ、ＰＤＡ、ゲーム機、スマートウォッチ等が含まれうるが、これらに限定されない。このときの無線接続は、例えばBluetooth（登録商標） Low Energyに準拠した無線接続でありうる。通信部５４は、外部機器を介してユーザからの動作要求を受け付けてシステム制御部５０に通知する。システム制御部５０は、受信した動作要求に応じて各部を制御する。
【００２４】
姿勢検知部５５は、重力方向に対するカメラ１００の姿勢を検知する。姿勢検知部５５で検知された姿勢に基づいて、撮像部２２で撮影された画像が、カメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加することができる。また、システム制御部５０は、姿勢検知部５５で検知された姿勢に応じた向き情報に基づいて画像を回転して記録することも可能である。姿勢検知部５５としては、加速度センサやジャイロセンサなどを用いることができる。
【００２５】
次に、図２のフローチャートを参照して、本実施形態におけるカメラ１００の制御方法について説明する。なお、このフローチャートに対応するプログラムは不揮発性メモリ５６に記憶されており、システム制御部５０によって実行される。
【００２６】
カメラ１００が起動した初期状態で、ユーザによる操作部７０の操作に応じて、カメラ１００側の通信接続設定が実行される。このとき、外部デバイスが操作されることで外部デバイス側の通信接続設定が実行されることで、Ｓ２０１で、カメラ１００と外部デバイスとの接続が確立される。具体的には、カメラ１００からアドバタイズ信号をブロードキャストし、外部デバイスは受信したアドバタイズ信号を受信したことに応答して接続要求信号をカメラ１００に送信することにより、Bluetooth接続が確立される。これにより、外部デバイスからカメラ１００を遠隔操作できるようになる。
【００２７】
Ｓ２０２では、システム制御部５０は、撮影指示を受け付けたか否かを判定する。このとき、撮影指示は、シャッターボタン６１を全押しされることによる撮影指示と、通信部５４を介した外部デバイスからの遠隔操作による撮影開始要求とがありうる。撮影指示を受け付けた場合はＳ２０３へ進み、まだ受け付けていない場合には撮影指示を受けるまで待機する。
【００２８】
Ｓ２０３では、システム制御部５０は、受け付けた撮影指示が外部デバイスからの遠隔操作による撮影開始要求であるか否かを判定する。遠隔操作であった場合はＳ２０４へ進み、そうでない場合（すなわちシャッターボタン６１による撮影指示）はＳ２０７に進む。
【００２９】
Ｓ２０４では、システム制御部５０は、セルフタイマー撮影の機能が有効にされているか否かを判定し、また、セルフタイマー撮影の機能が有効にされている場合には、セルフタイマー値が所定時間より長い第１時間に設定されているか判定する。ここで、所定時間は、あらかじめ設定されたしきい値時間であり、ここでは例えば５秒とする。そして、セルフタイマー値が所定時間より長い第１時間に設定されている場合はＳ２０５に進み、そうでない場合はＳ２０６に進む。
【００３０】
Ｓ２０５では、システム制御部５０は、セルフタイマー値を、所定時間（例えば５秒）より短い第２時間（例えば３秒）に変更する。ここでは、不揮発性メモリ５６に記憶されているセルフタイマー値を直接書き換えてもよいし、システムメモリ５２に一時的なセルフタイマー値として記憶することでセルフタイマー値の変更を実現してもよい。Ｓ２０６では、システム制御部５０が、設定されたセルフタイマー値の計時を開始する。この計時が終了すると、処理はＳ２０７に進む。Ｓ２０７では、システム制御部５０が、各部を制御することで静止画、もしくは、動画の撮影を開始する。
【００３１】
以上の制御方法によれば、システム制御部５０は、以下の条件の判定を行う。
（ａ）受け付けた撮影指示が、通信部５４を介した外部デバイスからの遠隔操作による撮影開始要求であること（Ｓ２０２，Ｓ２０３）。
（ｂ）セルフタイマー撮影の機能が有効にされていること（Ｓ２０４）。
（ｃ）タイマー時間が所定時間より長い第１時間に設定されていること（Ｓ２０４）。
以上の条件を全て満たす場合、システム制御部５０は、タイマー時間を上記所定時間より短い第２時間に変更する。
【００３２】
この制御によれば、ユーザが外部デバイスを用いてカメラ１００を遠隔操作している際、既定のタイマー時間通りに撮影を開始するとユーザの待ち時間が長くなってしまうことを防止できる。外部デバイス側でフレーミングなどの確認が取れている等の場合、この制御によってユーザの利便性を高めることができる。
【００３３】
＜第２実施形態＞
上記したように、カメラ１００は、様々な状況に応じて適した撮影ができるように、複数の撮影モードを搭載している。本実施形態におけるカメラ１００は、撮影モードに応じてセルフタイマー値を変更することができる。
【００３４】
図３に、本実施形態におけるカメラ１００の制御方法のフローチャートを示す。図２との違いは、図３には、Ｓ２０５のかわりにＳ３０５〜Ｓ３０８の処理が入っていることである。Ｓ３０５では、システム制御部５０は、モード切替スイッチ６０の状態を取得することで撮影モードを判断し、静止画モードか否かを判定する。静止画モードであればＳ３０６に進み、そうでない場合はＳ３０７に進む。
【００３５】
Ｓ３０６では、システム制御部５０は、セルフタイマー値を静止画用セルフタイマー値に変更する。Ｓ３０７では、システム制御部５０は、カメラ１００の撮影モードが動画モードか否かを判定する。動画モードであればＳ３０８に進み、そうでない場合はＳ３０９に進む。Ｓ３０８では、システム制御部５０は、セルフタイマー値を動画用セルフタイマー値に変更する。第１実施形態におけるＳ２０５では、セルフタイマー値が所定時間より短い第２時間（例えば３秒）に変更されたが、本実施形態において、この第２時間は、撮影モードに応じた時間（静止画用セルフタイマー値または動画用セルフタイマー値）とされる。
【００３６】
以上によれば、撮影モード毎に適したセルフタイマー値で撮影を行うことができる。なお、本実施形態では、静止画モードと動画モードの２つの撮影モードでセルフタイマー値を変更するものとしたが、その他の撮影モード、もしくは、３つ以上の撮影モードにおいて、同様にセルフタイマー値を変更するようにしてもよい。
【００３７】
＜第３実施形態＞
先述したように、カメラ１００を遠隔操作する外部デバイスとしては、専用のリモコン装置の他、スマートフォン、タブレットコンピュータ、スマートウォッチなど様々なものが考えられる。例えば、外部デバイスが、ユーザが事前にフレーミングの確認を行える液晶モニタ等を備えるスマートフォンやタブレットコンピュータ等である場合、被写体の状況をあらかじめ確認できるため、セルフタイマー値は短くしてよい場合が多い。そこで本実施形態におけるカメラ１００は、外部デバイスの種別に応じてセルフタイマー値を変更するか否かを決定する。
【００３８】
図４に、本実施形態におけるカメラ１００の制御方法のフローチャートを示す。図２との違いは、図４には、Ｓ２０４とＳ２０５の間にＳ４０５が介在していることである。本実施形態において、Ｓ４０２で受信される撮影開始要求は、送信元である外部デバイスの機種の情報を含むものとする。Ｓ４０５では、システム制御部５０は、Ｓ４０２で受信した撮影開始要求に含まれる外部デバイスの機種の情報に基づいて、外部デバイス側でフレーミング（被写体を切り取る範囲）の確認が可能か否かを判定する。外部デバイス側でフレーミングの確認が可能か否かは、例えば、外部デバイスの機種の情報から外部デバイス側に液晶モニタが搭載されているか否かを判断して行う。外部デバイス側でフレーミングの確認が可能であればＳ２０５に進み、そうでない場合はＳ２０６に進む。
【００３９】
このように、Ｓ４０５の判定処理を介在させることにより、システム制御部５０は、外部デバイスの機種の情報が該外部デバイスがフレーミングの確認が可能な機種であることを示す場合に、Ｓ２０５のセルフタイマー値の第２時間への変更を有効にする。一方、外部デバイスの機種の情報が該外部デバイスがフレーミングの確認が可能な機種であることを示さない場合には、Ｓ２０５のセルフタイマー値の第２時間への変更を無効にする。
【００４０】
本実施形態によれば、外部デバイスが、ユーザが事前にフレーミングの確認を行える液晶モニタ等を備えるスマートフォンやタブレットコンピュータ等である場合は、セルフタイマー値を短くし、撮影開始までの待ち時間を短縮することができる。逆に、外部デバイスがそのような液晶モニタ等を備えていないリモコン等では、セルフタイマー値を短縮せずに撮影を行うことにより、撮影開始までのユーザ（被写体）の準備時間を確保することができる。
【００４１】
＜第４実施形態＞
ここまでの実施形態では、カメラ１００側でセルフタイマー値を設定する構成としていたが、カメラ１００を遠隔操作する外部デバイス側からセルフタイマー値を指定する構成も考えられる。この場合、ユーザが明示的にセルフタイマー値を設定したと考えられるので、その設定に従ってセルフタイマー撮影を行った方がよい可能性が高い。そこで本実施形態におけるカメラ１００は、外部デバイス側からのセルフタイマー値の指定を優先的に適用する。
【００４２】
図５に、本実施形態におけるカメラ１００の制御方法のフローチャートを示す。図２との違いは、図５には、Ｓ２０４とＳ２０５の間にＳ５０５，Ｓ５０６の分岐が存在していることである。
【００４３】
本実施形態において、Ｓ４０２で受信される撮影開始要求は、セルフタイマー値の指定値（タイマー時間の指定時間）を含むものとする。Ｓ５０５では、システム制御部５０は、Ｓ４０２で受信した撮影開始要求に含まれるセルフタイマー値が有効な値であるか否かを判定する。撮影開始要求に含まれるセルフタイマー値が例えば０あるいはＮｕｌｌ値である場合は無効な値であると判定される。撮影開始要求に含まれるセルフタイマー値が無効な値である場合には、外部デバイスからのセルフタイマー値の指定はないと判定し、セルフタイマー値はカメラ１００側の設定に従う。一方、撮影開始要求に含まれるセルフタイマー値が有効な値である場合は、セルフタイマー値が外部デバイスから明示的に指定されたと判定する。セルフタイマー値が外部デバイスから指定されたと判定されたときはＳ５０６に進み、そうでない場合はＳ２０５に進む。Ｓ５０６では、セルフタイマー値を外部デバイスから指定された値（撮影開始要求に含まれるセルフタイマー値）に変更する。
【００４４】
このように、撮影開始要求にセルフタイマー値の指定値（タイマー時間の指定時間）が含まれる場合には、Ｓ２０５のセルフタイマー値の第２時間への変更を無効にし、セルフタイマー値を指定値に変更する。以上により、セルフタイマー値が外部デバイスから指定された場合は、その指定値に従ってセルフタイマー撮影を行うことにより、ユーザが意図しない撮影を防止することができる。
【００４５】
また、Ｓ５０５で外部デバイスからセルフタイマー値が指定された場合、すなわち撮影開始要求にセルフタイマー値の指定値が含まれる場合、システム制御部５０は、指定値の変更を促すための通知を通信部５４を介して外部デバイスに送信してもよい。外部デバイスは、この通知を受信したことに応答して、例えば図６に示すようなガイダンス表示を行う。ガイダンス表示は例えば、「セルフタイマー時間が１０秒に設定されています。設定を変更しますか？」というものでありうる。図６の画面において、ユーザが「はい」を選択した場合、外部デバイスは不図示のセルフタイマー値を再設定する画面を表示し、セルフタイマー値の変更を行えるようにする。
【００４６】
また、逆に、セルフタイマー値の変更は、第１実施形態と同様に行い、セルフタイマー値の変更がなされた旨を外部デバイスに通知し、外部デバイス側でその旨のガイダンス表示を行うことで、ユーザ通知するようにしてもよい。
【００４７】
＜第５実施形態＞
セルフタイマー撮影を行うユースケースとしては、人物が被写体である場合が多い。そこで、被写体が人物であると判定された場合に、セルフタイマー値を変更するようにしてもよい。
【００４８】
図７に、本実施形態におけるカメラ１００の制御方法のフローチャートを示す。図２との違いは、図７には、Ｓ２０４とＳ２０５との間にＳ７０５が介在していることである。Ｓ７０５では、システム制御部５０は、画像処理部２４の処理結果を受けて被写体が人物か否かを判定する。被写体が人物か否かの判定は、公知の顔検出アルゴリズムを用いて行うことができる。被写体が人物であった場合はＳ２０５に進み、そうでない場合はＳ２０６に進む。
【００４９】
このように、Ｓ７０５の判定処理を介在させることにより、システム制御部５０は、被写体が人物であると判定された場合には、Ｓ２０５のセルフタイマー値の第２時間への変更を有効にする。一方、被写体が人物であると判定されなかった場合には、Ｓ２０５のセルフタイマー値の第２時間への変更を無効にする。
【００５０】
なお、Ｓ７０５においては、被写体が人物であるか否かを判定するかわりに、カメラ１００が人物を撮影するための撮影モード（ポートレートモード、撮影者自身が被写体となる自分撮りモード）に設定されているか否かを判定してもよい。
【００５１】
以上、本発明の好ましい実施形態について説明したが、本発明はこれらの実施形態に限定されず、その要旨の範囲内で種々の変形及び変更が可能である。例えば、第１実施形態において、セルフタイマー値のしきい値（所定時間）を５秒とし、変更後のセルフタイマー値を３秒としたが、本発明はこれらの特定の秒数に限定されるものではない。また、変更する際のセルフタイマー値は、事前にユーザがメニューなどから選択できるようにしてもよい。
【００５２】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００５３】
発明は上記実施形態に制限されるものではなく、発明の精神及び範囲から離脱することなく、様々な変更及び変形が可能である。従って、発明の範囲を公にするために請求項を添付する。
【符号の説明】
【００５４】
２２：撮像部、２４：画像制御部、５０：システム制御部、５３：システムタイマー、５４：通信部、５６：不揮発性メモリ、６０：モード切替スイッチ、３ａ，３ｂ：光学素子
【図１】
2020187239.tif 000003
【図２】
2020187239.tif 000004
【図３】
2020187239.tif 000005
【図４】
2020187239.tif 000006
【図５】
2020187239.tif 000007
【図６】
2020187239.tif 000008
【図７】
2020187239.tif 000009